【手続補正書】
【提出日】平成16年4月23日(2004.4.23)
【手続補正１】
【補正対象書類名】明細書
【補正対象項目名】発明の名称
【補正方法】変更
【補正の内容】
【発明の名称】信号処理装置および信号処理方法
【手続補正２】
【補正対象書類名】明細書
【補正対象項目名】特許請求の範囲
【補正方法】変更
【補正の内容】
【特許請求の範囲】
【請求項１】
第１のネットワーク上の所定伝送周波数の第１のディジタル放送信号を第２のネットワーク上の所定伝送周波数の第２のディジタル放送信号に変換する信号処理装置であって、
上記第１のディジタル放送信号を周波数変換して第１のディジタル変調信号を得る第１の周波数変換手段と、
上記第１のディジタル変調信号を復調してディジタル放送データを得る復調手段と、
上記復調手段より出力されるディジタル放送データから伝送路に関する物理的な情報を持つネットワーク・インフォメーション・テーブルを検出する第１のテーブル検出手段と、
上記第１のテーブル検出手段で検出される上記ネットワーク・インフォメーション・テーブルを上記第２のネットワークに適合するように変更するテーブル変更手段と、
上記復調手段より出力されるディジタル放送データのネットワーク・インフォメーション・テーブルを上記テーブル変更手段で変更して得られたネットワーク・インフォメーション・テーブルに置き換えるテーブル置き換え手段と、
上記テーブル置き換え手段でネットワーク・インフォメーション・テーブルが置き換えられたディジタル放送データを変調して第２のディジタル変調信号を得る変調手段と、
上記第２のディジタル変調信号を周波数変換して上記第２のディジタル放送信号を得る第２の周波数変換手段と
を備えることを特徴とする信号処理装置。
【請求項２】
上記テーブル変更手段では、上記第１のテーブル検出手段で検出されるネットワーク・インフォメーション・テーブルの少なくとも伝送周波数情報が変更される
ことを特徴とする請求項１に記載の信号処理装置。
【請求項３】
上記第２のネットワーク上のディジタル放送信号の数が上記第１のネットワーク上のディジタル放送信号の数よりも少なくなるとき、上記テーブル変更手段では、上記第１のネットワーク上のディジタル放送信号のうち上記第２のネットワーク上のディジタル情報信号に対応していないディジタル放送信号に係る情報を削除する
ことを特徴とする請求項１に記載の信号処理装置。
【請求項４】
上記テーブル置き換え手段は、上記復調手段より出力されるディジタル放送データのネットワークインフォメーションテーブルのうち、上記テーブル変更手段で削除された情報に係る部分にダミービットを挿入する
ことを特徴とする請求項３に記載の信号処理装置。
【請求項５】
上記テーブル置き換え手段でネットワーク・インフォメーション・テーブルが置き換えられたディジタル放送データよりネットワーク・インフォメーション・テーブルを検出する第２のテーブル検出手段と、
上記第２のテーブル検出手段で検出されるネットワーク・インフォメーション・テーブルと、上記テーブル変更手段で変更されたネットワーク・インフォメーション・テーブルとを比較して上記テーブル置き換え手段での上記ネットワーク・インフォメーション・テーブルの置き換えが正しく行われているか否かを判定する置き換え判定手段とをさらに備える
ことを特徴とする請求項１に記載の信号処理装置。
【請求項６】
上記置き換え判定手段で上記置き換えが正しく行われていないと判定されるとき、上記第１のテーブル検出手段に上記復調手段より出力されるディジタル放送データより上記ネットワーク・インフォメーション・テーブルを再度検出させ、上記テーブル置き換え手段で、上記再度検出されたネットワーク・インフォメーション・テーブルを上記テーブル変更手段で変更したネットワーク・インフォメーション・テーブルが使用されるように制御する制御手段をさらに備える
ことを特徴とする請求項５に記載の信号処理装置。
【請求項７】
第１のネットワーク上の所定伝送周波数の第１のディジタル放送信号を第２のネットワーク上の所定伝送周波数の第２のディジタル放送信号に変換する信号処理方法であって、
上記第１のディジタル放送信号を周波数変換して第１のディジタル変調信号を得る第１の周波数変換工程と、
上記第１のディジタル変調信号を復調してディジタル放送データを得る復調工程と、
上記復調工程で得られるディジタル放送データから伝送路に関する物理的な情報を持つネットワーク・インフォメーション・テーブルを検出する第１のテーブル検出工程と、
上記第１のテーブル検出工程で検出される上記ネットワーク・インフォメーション・テーブルを上記第２のネットワークに適合するように変更するテーブル変更工程と、
上記復調工程で得られるディジタル放送データのネットワーク・インフォメーション・テーブルを上記テーブル変更工程で変更して得られたネットワーク・インフォメーション・テーブルに置き換えるテーブル置き換え工程と、
上記テーブル置き換え工程でネットワーク・インフォメーション・テーブルが置き換えられたディジタル放送データを変調して第２のディジタル変調信号を得る変調工程と、
上記第２のディジタル変調信号を周波数変換して上記第２のディジタル放送信号を得る第２の周波数変換工程と
を備えることを特徴とする信号処理方法。
【手続補正３】
【補正対象書類名】明細書
【補正対象項目名】０００１
【補正方法】変更
【補正の内容】
【０００１】
【発明の属する技術分野】
この発明は、任意のネットワークで放送されているディジタル放送番組を他のネットワークで配信サービスする際に使用して好適な信号処理装置および信号処理方法に関する。詳しくは、第１のネットワークにおけるディジタル放送データのＮＩＴ（ネットワーク・インフォメーション・テーブル）を検出し、そのＮＩＴを第２のネットワークに適合するように変更し、第１のネットワークにおけるディジタル放送データのＮＩＴを上記変更したＮＩＴに置き換えて第２のネットワークにおけるディジタル放送データを得ることによって、第１のネットワークで放送されているディジタル放送番組を第２のネットワークで配信サービスできるようにした信号処理装置に係るものである。


【手続補正４】
【補正対象書類名】明細書
【補正対象項目名】０００５
【補正方法】変更
【補正の内容】
【０００５】
【課題を解決するための手段】
この発明に係る信号処理装置は、第１のネットワーク上の所定伝送周波数の第１のディジタル放送信号を第２のネットワーク上の所定伝送周波数の第２のディジタル放送信号に変換する信号処理装置であって、第１のディジタル放送信号を周波数変換して第１のディジタル変調信号を得る第１の周波数変換手段と、この第１のディジタル変調信号を復調してディジタル放送データを得る復調手段と、この復調手段より出力されるディジタル放送データから伝送路に関する物理的な情報を持つネットワーク・インフォメーション・テーブルを検出する第１のテーブル検出手段と、この第１のテーブル検出手段で検出されるネットワーク・インフォメーション・テーブルを第２のネットワークに適合するように変更するテーブル変更手段と、復調手段より出力されるディジタル放送データのネットワーク・インフォメーション・テーブルをテーブル変更手段で変更して得られたネットワーク・インフォメーション・テーブルに置き換えるテーブル置き換え手段と、このテーブル置き換え手段でネットワーク・インフォメーション・テーブルが置き換えられたディジタル放送データを変調して第２のディジタル変調信号を得る変調手段と、この第２のディジタル変調信号を周波数変換して第２のディジタル放送信号を得る第２の周波数変換手段とを備えるものである。
この発明に係る信号処理方法は、第１のネットワーク上の所定伝送周波数の第１のディジタル放送信号を第２のネットワーク上の所定伝送周波数の第２のディジタル放送信号に変換する信号処理方法であって、第１のディジタル放送信号を周波数変換して第１のディジタル変調信号を得る第１の周波数変換工程と、この第１のディジタル変調信号を復調してディジタル放送データを得る復調工程と、この復調工程で得られるディジタル放送データから伝送路に関する物理的な情報を持つネットワーク・インフォメーション・テーブルを検出する第１のテーブル検出工程と、この第１のテーブル検出工程で検出されるネットワーク・インフォメーション・テーブルを第２のネットワークに適合するように変更するテーブル変更工程と、復調工程で得られるディジタル放送データのネットワーク・インフォメーション・テーブルをテーブル変更工程で変更して得られたネットワーク・インフォメーション・テーブルに置き換えるテーブル置き換え工程と、このテーブル置き換え工程でネットワーク・インフォメーション・テーブルが置き換えられたディジタル放送データを変調して第２のディジタル変調信号を得る変調工程と、この第２のディジタル変調信号を周波数変換して第２のディジタル放送信号を得る第２の周波数変換工程とを備えるものである。
【手続補正５】
【補正対象書類名】明細書
【補正対象項目名】００１３
【補正方法】変更
【補正の内容】
【００１３】
図３は、ＭＰＥＧ２トランスポートパケットのパケット構成を示しており、１８８バイトのうち先頭の４バイトはパケットヘッダを構成している。パケットヘッダには該当パケットの個別ストリーム（データ列）の属性を示すＰＩＤ（Packet Identification：パケット識別子）が配されている。ＭＰＥＧ２トランスポートパケットのペイロード（データ部）には、周知のように図４にパケット構成を示すＰＥＳ（Packetized Elementary Stream）パケットが再分割されて配されると共に、さらにＭＰＥＧ２システムの中で規定されているＰＳＩ（Program Specific Information：プログラム仕様情報）としてのＰＡＴ（Program Association Table）、ＰＭＴ（Program Map Table）、ＮＩＴ（Network Information Table）等も配される。